(57)【要約】      （修正有）【課題】トイレ等での不用意なずり落ちを防ぎ、ウェスト部が臀部に引っ掛からないようにするパンツを提供する。【解決手段】パンツ１は、パンツ本体２の上端部にゴム紐５が通されたウェスト部３を有している。ウェスト部３は、少なくとも腰裏地がサテン生地により構成され、腰裏地の両側端には前寄りの位置に滑止め片７が装着されている。【選択図】図１
0003210456.tif 000002
【実用新案登録請求の範囲】
【請求項１】
パンツ本体の上端部にゴム紐が通されたウェスト部を有するパンツであって、前記ウェスト部は、少なくとも腰裏地がサテン生地により構成され、前記腰裏地の両側端には前寄りの位置に滑止め片が装着されてなるパンツ。
【請求項２】
前記ウェスト部は、帯状の腰布を幅中央部で折り返し、両方の解放端縁をパンツ本体に縫着することにより腰表地と腰裏地との間に帯状のゴム紐を通すことが可能な紐通し孔が形成されている請求項１に記載のパンツ。
【考案の詳細な説明】
【技術分野】
【０００１】
この考案は、パンツに関するもので、特に介護用として好適なパンツに関する。
【背景技術】
【０００２】
従来の介護用のパンツは、パンツ本体の上端部に帯状のゴム紐が通されたウェスト部が設けられたものである。パンツ本体は、膝の滑りをよくするため、裏地が滑る生地により構成されている（例えば特許文献１参照）。裏地の滑りが良好であれば、パンツを履いたり脱いだりするときに、パンツ本体が膝などに引っ掛かりにくく、特に介護用のパンツでは、上げ下げが容易となる。  
【先行技術文献】
【特許文献】
【０００３】
【特許文献１】実開昭５８−８７８１２号公報
【考案の概要】
【考案が解決しようとする課題】
【０００４】
しかし、介護を要する人の場合、トイレでパンツを下ろした後、便器に腰を下ろすと、裏地が滑りやすいため、下ろしたパンツが下までずり落ちてしまい、次にパンツを上げるのに大きな労力を必要とする。また、ウェスト部がパンツ本体の表地と同じ生地により構成されているので、滑りが悪く、そのうえ、ウェスト部がゴム紐による収縮作用により径が狭まっているため、パンツを持ち上げにくく、パンツを上げる際にウェスト部が臀部に引っ掛かって内側に巻き込まれるという問題がある。
【０００５】
この考案は、上記問題に着目してなされたもので、トイレ等での不用意なずり落ちを防ぎ、ウェスト部が臀部に引っ掛からないようにしたパンツを提供することを目的とする。
【課題を解決するための手段】
【０００６】
この考案によるパンツは、パンツ本体の上端部にゴム紐が通されたウェスト部を有するものであって、前記ウェスト部は、少なくとも腰裏地がサテン生地により構成され、前記腰裏地の両側端には前寄りの位置に滑止め片が装着されてなる。
【０００７】
上記した構成のパンツによると、腰裏地が滑りやすいサテン生地により構成されているので、たとえウェスト部がゴム紐による収縮により径が狭まっていても、パンツを持ち上げやすく、パンツを上げる際にウェスト部が臀部に引っ掛かって内側に巻き込まれるおそれがない。
また、介護を要する人の場合、トイレでパンツを下ろした後、便器に腰を下ろしたとき、滑止め片が下着の表面に当接するので、下ろしたパンツが下までずり落ちるのが阻止され、次にパンツを上げるのに、ウェスト部の滑止め片をつかんで持ち上げることで、ウェスト部が滑り、持ち上げに大きな労力を必要とせず、負担が軽減される。
【０００８】
好ましい実施態様においては、前記ウェスト部は、帯状の腰布を幅中央部で折り返し、両方の解放端縁をパンツ本体に縫着することにより腰表地と腰裏地との間に帯状のゴム紐を通すことが可能な紐通し孔が形成されている。
【０００９】
この実施態様によると、腰表地も滑りやすいサテン生地により構成されるので、パンツを上げる際にウェスト部が内側に巻き込まれることがあっても、ウェスト部が滑り、パンツを上げるのに支障を生じさせない。
【考案の効果】
【００１０】
この考案によれば、トイレ等でのパンツの不用意なずり落ちを防止することができ、また、パンツを上げる際にウェスト部が臀部に引っ掛かるおそれがない。
【図面の簡単な説明】
【００１１】
【図１】ウェスト部の一部を破断したパンツの正面図である。
【図２】図１のＡ−Ａ線に沿う断面図である。
【図３】図１のパンツの平面図である。
【図４】腰裏地に装着された滑止め片の正面図である。
【図５】図４のＢ−Ｂ線に沿う断面図である。
【考案を実施するための形態】
【００１２】
図１は、この考案の一実施例であるパンツ１を示している。この実施例のパンツは、介護用として提供されるものであるが、この考案はこれに限らず、介護用以外のパンツにも適用することが可能である。
【００１３】
図示のパンツ１は、パンツ本体２の上端部にベルトを必要としない拡縮自在なウェスト部３が設けられたものである。ウェスト部３には、断面形状が縦長の紐通し孔４が一周して設けられており、この紐通し孔４に帯状で平らなゴム紐５が通してある。なお、ゴム紐５は引っ張り強さが最適な状態となるよう長さが調節されている。
【００１４】
この実施例のウェスト部３は、図２に示すように、帯状の腰布６を幅中央部で折り返して腰表地６ａと腰裏地６ｂとなし、両方の解放端縁間にパンツ本体２の表地２ａおよび裏地２ｂを挟み込んで一体に縫着することにより形成されている。腰布６には安価で丈夫なポリエステル１００％のサテン生地が用いられている。サテン生地は表面が平滑で光沢があり、このサテン生地を少なくとも腰裏地６ｂに用いることで、腰裏地６ｂに滑りやすさが付与される。腰表地６ａと腰裏地６ｂとの間であって表腰布６の折返し端Ｐとパンツ本体２の縫着部Ｑとの間にはウェスト部３を一周する紐通し孔４が形成される。腰裏地６ｂの適所には紐通し孔４に連通する切溝（図示せず）が形成され、この切溝より紐通し孔４へ帯状のゴム紐５の挿脱が可能である。
【００１５】
パンツ本体２は表地２ａと裏地２ｂとからなる。表地２ａにはポリエステル９６％、ポリウレタン４％の混紡が用いられている。一方、裏地２ｂにはポリエステル１００％のメッシュ生地が用いられており、表地２ａに対して裏地２ｂの方が滑りがよい。裏地２ｂは表地２ａの内面に沿って一周し、腰部から臀部を経て両脚の膝下まで延びている。裏地２ｂが臀部を覆うので、裏地２ｂが滑ってパンツ１の上げ下げが容易である。
【００１６】
腰裏地６ｂの両側端には、図３および図４に示すように、帯状の滑止め片７が熱溶着により装着されている。各滑止め片７の装着位置は、パンツ本体２の両側部に設けられるポケット８の位置、すなわち、腰裏地６ｂの両側端であって前寄りの位置が望ましい。この位置に滑止め片７を設けたのは、左右の滑止め片７を左右の手でつかみ易くするためであり、パンツ１を持ち上げる際、滑止め片７を手で握ることで、滑止め片７の滑止め機能が発揮されなくなる。なお、滑止め片７の腰裏地６ｂへの装着は接着剤を用いて行ってもよく、また、縫い付けであってもよい。
【００１７】
滑止め片７は、図５に示すように、基布１３の表面にシリコーンゴム層１１が設けられたものであり、基布１３の裏面にはホットメルト層１２が形成されている。ホットメルト層１２の表面には感圧接着剤が塗布されており、この実施例では、熱溶着により腰裏地６ｂに滑止め片７が貼着される。表側のシリコーンゴム層１１の表面は凹凸面１４になっている。この凹凸面１４により摩擦抵抗が大きくなり、滑止めの機能が高められている。中間の基布１３はシリコーンゴム層１１の伸縮を防止して強度を保つ。
【００１８】
上記した構成のパンツ１によると、ウェスト部３の腰裏地６ｂが滑りやすいサテン生地により構成されているので、ウェスト部３がゴム紐５の収縮により径が狭められても、パンツ１を持ち上げるに際して、持ち上げやすく、ウェスト部３が臀部に引っ掛かって内側に巻き込まれるようなことがない。この場合に、滑止め片７は腰裏地６ｂの両側端の前寄りの位置に設けられているので、両方の手で各滑止め片７を容易につかむことができる。滑止め片７の表面が手で塞がれると、滑止め機能が発揮されないので、パンツの上げ下げに際して、腰裏地６ｂの滑りやすさが阻害されることがない。
【００１９】
仮に、パンツ１を上げる際にウェスト部３が内側に巻き込まれることがあっても、この実施態様では、腰表地６ａも滑りやすいサテン生地により構成されているので、ウェスト部３が滑り、パンツを上げるのに支障を生じさせることがない。
【００２０】
また、介護を要する人の場合、トイレでパンツ１を下ろした後、便器に腰を下ろしたとき、滑止め片７が下着の表面に当接するので、下ろしたパンツ１が下までずり落ちるのが阻止され、次にパンツ１を上げるのに、ウェスト部３の滑止め片７をつかんで持ち上げることで、ウェスト部３が滑り、持ち上げに大きな労力を必要とせず、負担が軽減される。
【符号の説明】
【００２１】
１    パンツ
２    パンツ本体
２ａ  表地
２ｂ  裏地
３    ウェスト部
６    腰布
６ａ  腰表地
６ｂ  腰裏地
７    滑止め片
【図１】
0003210456.tif 000003
【図２】
0003210456.tif 000004
【図３】
0003210456.tif 000005
【図４】
0003210456.tif 000006
【図５】
0003210456.tif 000007